【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
コンポーネントキャリアアグリゲーションを使用する無線通信システムの基地局（１４０、１５０）における送信タイミング調整方法であって、前記基地局は複数のアップリンクコンポーネントキャリアを経てユーザ装置（１４０、１６０）からデータを受信し、
第１のコンポーネントキャリアにおける送信に適用可能である第１のタイミングアドバンスコマンドを前記ユーザ装置へ送信するステップ（１２００）と、
前記第１のコンポーネントキャリアと少なくとも第２のコンポーネントキャリアとに対する異なるアップリンク送信タイミングを維持する検出された必要性に基づく第２のタイミングアドバンスコマンドであって、前記第１のコンポーネントキャリアまたは前記第２のコンポーネントキャリアの少なくとも１つにおけるアップリンク送信に適用可能である前記第２のタイミングアドバンスコマンドを前記ユーザ装置へ送信するステップ（１００４、１２０４）と
を含むことを特徴とする方法。
【請求項２】
前記第１のタイミングアドバンスコマンドが基準タイミングアドバンスまたはタイミング調整を含むことを特徴とする請求項１に記載の方法。
【請求項３】
前記第２のタイミングアドバンスコマンドがタイミングアドバンスまたは前記検出した異なるアップリンク送信タイミング維持の必要性に基づくタイミング調整を含むことを特徴とする請求項１または請求項２に記載の方法。
【請求項４】
前記第１のコンポーネントキャリアおよび前記第２のコンポーネントキャリアに対する異なるアップリンク送信タイミングを維持する必要性を検出する前記ステップ（１００２、１２０２）が、前記第２のアップリンクキャリアにおけるアップリンク送信を前記第１のコンポーネントキャリアにおけるアップリンク送信に対するオフセットを伴って受信することを検出するステップを含むことを特徴とする請求項１乃至請求項３の何れか一項に記載の方法。
【請求項５】
前記第１のコンポーネントキャリアおよび前記第２のコンポーネントキャリアに対する異なるアップリンク送信タイミングを維持する必要性を検出する前記ステップ（１００２、１２０２）が、
前記第２のアップリンクコンポーネントキャリアにおけるランダムアクセスの実行を前記ユーザ装置に指令するステップと、
前記第２のアップリンクキャリアにおけるアップリンク送信を前記第１のコンポーネントキャリアにおけるアップリンク送信に対するオフセットを伴って受信するかを検出するステップを含むことを特徴とする請求項１乃至請求項３の何れか一項に記載の方法。
【請求項６】
前記第２のタイミングアドバンスコマンドが前記第１のコンポーネントキャリアにおけるアップリンク送信に対する前記オフセットに基づくことを特徴とする請求項１乃至請求項５の何れか一項に記載の方法。
【請求項７】
前記第２のタイミングアドバンスコマンドが前記複数のアップリンクコンポーネントキャリアの幾つかに適用可能であることを特徴とする請求項１乃至請求項６の何れか一項に記載の方法。
【請求項８】
前記第２のタイミングアドバンスコマンドが前記複数のアップリンクコンポーネントキャリアの幾つかに適用可能な複数の調整コマンドを含むことを特徴とする請求項１乃至請求項７の何れか一項に記載の方法。
【請求項９】
前記複数の調整コマンドが前記複数のアップリンクコンポーネントキャリアの少なくとも１つに適用する前タイミングアドバンスコマンドに関する相対的時間調整を提供することを特徴とする請求項８に記載の方法。
【請求項１０】
前記複数の調整コマンドが前記第１のタイミングアドバンスコマンドに関する相対的時間調整を提供することを特徴とする請求項８に記載の方法。
【請求項１１】
前記タイミングアドバンスコマンドをメディアアクセス制御プロトコルに実装することを特徴とする請求項１乃至請求項１０の何れか一項に記載の方法。
【請求項１２】
前記タイミングアドバンスコマンドが少なくともキャリア特定情報フィールドまたはキャリアグループ特定情報フィールドおよび少なくとも時間整合フィールドを含むことを特徴とする請求項１１に記載の方法。
【請求項１３】
前記タイミングアドバンスを前記時間整合フィールドに含み、前記タイミングアドバンスが適用可能である前記コンポーネントキャリアに関連するキャリア標識を前記キャリア特定情報フィールドに含むことを特徴とする請求項１２に記載の方法。
【請求項１４】
コンポーネントキャリアアグリゲーションを使用する無線通信システムのユーザ装置（１４０、１６０）における送信タイミング調整方法であって、前記ユーザ装置は複数のアップリンクコンポーネントキャリアを経て前記無線通信システムに含む基地局（１４０、１５０）にデータを送信し、
第１のコンポーネントキャリアにおける送信に適用可能である前記第１のタイミングアドバンスコマンドを前記基地局から受信するステップ（１３００）と、
前記第１のコンポーネントキャリアおよび少なくとも第２のコンポーネントキャリアに対する異なるアップリンク送信タイミングを維持する検出された必要性に基づく第２のタイミングアドバンスコマンドであって、前記第１のコンポーネントキャリア並びに第２のアップリンクコンポーネントキャリアの少なくとも１つおける送信に適用可能である前記第２のタイミングアドバンスコマンドを前記基地局から受信するステップ（１１００、１３０４）と、
前記第２のタイミングアドバンスコマンドに基づいて、前記第１のコンポーネントキャリアおよび前記第２のアップリンクコンポーネントキャリアの少なくとも１つにおけるアップリンク送信を調整するステップ（１１０２、１３０６）と
を含むことを特徴とする方法。
【請求項１５】
前記第１のタイミングアドバンスコマンドが基準タイミングアドバンスまたはタイミング調整を含むことを特徴とする請求項１４に記載の方法。
【請求項１６】
前記第２のタイミングアドバンスコマンドがタイミングアドバンスまたは前記検出した異なるアップリンク送信タイミング維持の必要性に基づくタイミング調整を含むことを特徴とする請求項１４または請求項１５に記載の方法。
【請求項１７】
前記第２のタイミングアドバンスコマンドが前記第１のコンポーネントキャリアにおけるアップリンク送信に対する前記オフセットに基づくことを特徴とする請求項１４乃至請求項１６の何れか一項に記載の方法。
【請求項１８】
前記第２のタイミングアドバンスコマンドが前記複数のアップリンクコンポーネントキャリアの幾つかに適用可能であることを特徴とする請求項１４乃至請求項１７の何れか一項に記載の方法。
【請求項１９】
前記第２のタイミングアドバンスコマンドが前記複数のアップリンクコンポーネントキャリアの幾つかに適用可能な複数の調整コマンドを含むことを特徴とする請求項１４乃至請求項１８の何れか一項に記載の方法。
【請求項２０】
前記複数の調整コマンドが前記複数のアップリンクコンポーネントキャリアの少なくとも１つに適用する前タイミングアドバンスコマンドに関する相対的時間調整を提供することを特徴とする請求項１９に記載の方法。
【請求項２１】
前記複数の調整コマンドが前記第１のタイミングアドバンスコマンドに関する相対的時間調整を提供することを特徴とする請求項１９に記載の方法。
【請求項２２】
前記ユーザ装置は時間調整タイマを含み、前記方法が、
前記時間整合タイマをスタートさせるステップ（１３０２、１１０４、１３０８）をさらに含むことを特徴とする請求項１４乃至請求項２１の何れか一項に記載の方法。
【請求項２３】
前記ユーザ装置を時間整合タイマにより構成し、前記方法が、
前記第２のタイミングアドバンスコマンドが前記第１のコンポーネントキャリアに適用可能である場合に前記時間整合タイマをスタートさせるステップ（１１０４、１３０８）をさらに含むことを特徴とする請求項１４乃至請求項２２の何れか一項に記載の方法。
【請求項２４】
前記タイミングアドバンスコマンドをメディアアクセス制御プロトコルに実装することを特徴とする請求項１４乃至請求項２３の何れか一項に記載の方法。
【請求項２５】
前記タイミングアドバンスコマンドが少なくともキャリア特定情報フィールドまたはキャリアグループ特定情報フィールドおよび少なくとも時間整合フィールドを含むことを特徴とする請求項２４に記載の方法。
【請求項２６】
前記タイミングアドバンスを前記時間整合フィールドに含み、前記タイミングアドバンスが適用可能である前記コンポーネントキャリアに関連するキャリア標識を前記キャリア特定情報フィールドに含むことを特徴とする請求項２５に記載の方法。
【請求項２７】
コンポーネントキャリアアグリゲーションを使用する無線通信システムの送信タイミング調整基地局（１４０、１５０）であって、前記基地局（１４０、１５０）は複数のアップリンクコンポーネントキャリアを経てユーザ装置ユーザ装置（１４０、１６０）からデータを受信し、
第１のコンポーネントキャリアにおける送信に適用可能である第１のタイミングアドバンスコマンドを前記ユーザ装置（１４０、１６０）に送信する送信機ユニット（１５１）と、
前記第１のコンポーネントキャリアおよび少なくとも第２のコンポーネントキャリアに対する異なるアップリンク送信タイミング維持の必要性を検出する検出ユニット（１５２）とを含み、
前記送信機ユニット（１５１）は、前記検出した異なるアップリンク送信タイミング維持の必要性に基づき、前記第１のコンポーネントキャリアおよび前記第２のコンポーネントキャリアの少なくとも１つにおけるアップリンク送信に適用可能である前記第２のタイミングアドバンスコマンドを前記ユーザ装置（１４０、１６０）にさらに送信する
ことを特徴とする基地局（１４０、１５０）。
【請求項２８】
前記第１のタイミングアドバンスコマンドが基準タイミングアドバンスまたはタイミング調整を含むことを特徴とする請求項２７に記載の基地局（１４０、１５０）。
【請求項２９】
前記第２のタイミングアドバンスコマンドがタイミングアドバンスまたは前記検出した異なるアップリンク送信タイミング維持の必要性に基づくタイミング調整を含むことを特徴とする請求項２７または請求項２８に記載の基地局（１４０、１５０）。
【請求項３０】
前記検出ユニット（１５２）が前記第２のアップリンクキャリアにおけるアップリンク送信を前記第１のコンポーネントキャリアにおけるアップリンク送信に対するオフセットを伴って受信することを検出することを特徴とする請求項２７乃至請求項２９の何れか一項に記載の基地局（１４０、１５０）。
【請求項３１】
前記第２のアップリンクコンポーネントキャリアにおけるランダムアクセスの実行を前記ユーザ装置（１４０、１６０）に指令する指令ユニット（１５４）をさらに含み、前記検出ユニット（１５２）が前記第２のアップリンクキャリアにおけるアップリンク送信を前記第１のコンポーネントキャリアにおけるアップリンク送信に対するオフセットを伴って受信することをさらに検出することを特徴とする請求項２７乃至請求項２９の何れか一項に記載の基地局（１４０、１５０）。
【請求項３２】
前記第２のタイミングアドバンスコマンドが前記第１のコンポーネントキャリアにおけるアップリンク送信に対する前記オフセットに基づくことを特徴とする請求項２７乃至請求項３１の何れか一項に記載の基地局（１４０、１５０）。
【請求項３３】
前記第２のタイミングアドバンスコマンドが前記複数のアップリンクコンポーネントキャリアの幾つかに適用可能であることを特徴とする請求項２７乃至請求項３２の何れか一項に記載の基地局（１４０、１５０）。
【請求項３４】
前記第２のタイミングアドバンスコマンドが前記複数のアップリンクコンポーネントキャリアの幾つかに適用可能な複数の調整コマンドを含むことを特徴とする請求項２７乃至請求項３３の何れか一項に記載の基地局（１４０、１５０）。
【請求項３５】
前記複数の調整コマンドが前記複数のアップリンクコンポーネントキャリアの少なくとも１つに適用する前タイミングアドバンスコマンドに関する相対的時間調整を提供することを特徴とする請求項３４に記載の基地局（１４０、１５０）。
【請求項３６】
前記複数の調整コマンドが前記第１のタイミングアドバンスコマンドに関する相対的時間調整を提供することを特徴とする請求項３４に記載の基地局（１４０、１５０）。
【請求項３７】
前記タイミングアドバンスコマンドをメディアアクセス制御プロトコルに実装することを特徴とする請求項２７乃至請求項３６の何れか一項に記載の基地局（１４０、１５０）。
【請求項３８】
前記タイミングアドバンスコマンドが少なくともキャリア特定情報フィールドまたはキャリアグループ特定情報フィールドおよび少なくとも時間整合フィールドを含むことを特徴とする請求項３７に記載の基地局（１４０、１５０）。
【請求項３９】
前記タイミングアドバンスを前記時間整合フィールドに含み、前記タイミングアドバンスが適用可能である前記コンポーネントキャリアに関連するキャリア標識を前記キャリア特定情報フィールドに含むことを特徴とする請求項３８に記載の基地局（１４０、１５０）。
【請求項４０】
コンポーネントキャリアアグリゲーションを使用する無線通信システムの送信タイミングを調整するユーザ装置（１４０、１６０）であって、前記ユーザ装置（１４０、１６０）は複数のアップリンクコンポーネントキャリアを経て前記無線通信システムに含む基地局（１４０、１５０）にデータを送信し、
第１のコンポーネントキャリアにおける送信に適用可能である第１のタイミングアドバンスコマンドを前記基地局（１４０、１５０）から受信する受信機ユニット（１６１）と、
前記第１のコンポーネントキャリアおよび少なくとも第２のコンポーネントキャリアに対する異なるアップリンク送信タイミング維持の検出された必要性に基づき、前記第１のコンポーネントキャリア並びに前記第２のアップリンクコンポーネントキャリアの少なくとも１つにおける送信に適用可能である第２のタイミングアドバンスコマンドを前記基地局（１４０、１５０）から受信する受信機ユニット（１６１）と、
前記第２のタイミングアドバンスコマンドに基づいて、前記第１のコンポーネントキャリアおよび前記第２のアップリンクコンポーネントキャリアの少なくとも１つにおけるアップリンク送信を調整する調整ユニット（１６２）と
を含むことを特徴とするユーザ装置（１４０、１６０）。
【請求項４１】
前記第１のタイミングアドバンスコマンドが基準タイミングアドバンスを含み、前記基準タイミングアドバンスがタイミングアドバンスまたはタイミング調整であることを特徴とする請求項４０に記載のユーザ装置（１４０、１６０）。
【請求項４２】
前記第２のタイミングアドバンスコマンドがタイミングアドバンスまたは前記検出された異なるアップリンク送信タイミング維持の必要性に基づくタイミング調整を含むことを特徴とする請求項４０または請求項４１に記載のユーザ装置（１４０、１６０）。
【請求項４３】
前記第２のタイミングアドバンスコマンドが前記第１のコンポーネントキャリアにおけるアップリンク送信に対するオフセットに基づくことを特徴とする請求項４０乃至請求項４２の何れか一項に記載のユーザ装置（１４０、１６０）。
【請求項４４】
前記第２のタイミングアドバンスコマンドが前記複数のアップリンクコンポーネントキャリアの幾つかに適用可能であることを特徴とする請求項４０乃至請求項４３の何れか一項に記載のユーザ装置（１４０、１６０）。
【請求項４５】
前記第２のタイミングアドバンスコマンドが前記複数のアップリンクコンポーネントキャリアの幾つかに適用可能な複数の調整コマンドを含むことを特徴とする請求項４０乃至請求項４４の何れか一項に記載のユーザ装置（１４０、１６０）。
【請求項４６】
前記複数の調整コマンドが前記複数のアップリンクコンポーネントキャリアの少なくとも１つに適用する前タイミングアドバンスコマンドに関する相対的時間調整を提供することを特徴とする請求項４５に記載のユーザ装置（１４０、１６０）。
【請求項４７】
前記複数の調整コマンドが前記第１のタイミングアドバンスコマンドに関する相対的時間調整を提供することを特徴とする請求項４５に記載のユーザ装置（１４０、１６０）。
【請求項４８】
前記ユーザ装置（１４０、１６０）は時間整合タイマ（１６４）を含み、前記ユーザ装置が、
前記時間整合タイマをスタートさせるようにするスタータユニット（１６３）をさらに含むことを特徴とする請求項４０乃至請求項４７の何れか一項に記載のユーザ装置（１４０、１６０）。
【請求項４９】
前記ユーザ装置を時間調整タイマ（１６４）により構成し、前記ユーザ装置（１４０、１６０）が、
前記第２のタイミングアドバンスコマンドが前記第１のコンポーネントキャリアに適用可能である場合に、前記時間整合タイマをスタートさせるスタータユニット（１６３）をさらに含むことを特徴とする請求項４０乃至請求項４８の何れか一項に記載のユーザ装置（１４０、１６０）。
【請求項５０】
前記タイミングアドバンスコマンドをメディアアクセス制御プロトコルに実装することを特徴とする請求項４０乃至請求項４９の何れか一項に記載のユーザ装置（１４０、１６０）。
【請求項５１】
前記タイミングアドバンスコマンドが少なくともキャリア特定情報フィールドまたはキャリアグループ特定情報フィールドおよび少なくとも時間整合フィールドを含むことを特徴とする請求項５０に記載のユーザ装置（１４０、１６０）。
【請求項５２】
前記タイミングアドバンスを前記時間整合フィールドに含み、前記タイミングアドバンスが適用可能である前記コンポーネントキャリアに関連するキャリア標識を前記キャリア特定情報フィールドに含むことを特徴とする請求項５１に記載のユーザ装置（１４０、１６０）。